(57)【特許請求の範囲】
【請求項１】
送受信用画像情報の蓄積手段と、送信相手先を指定するワンタッチダイヤル機構および短縮ダイヤル機構を有する蓄積機能付きファクシミリ装置であって、
相手ファクシミリ装置から送出される送信元識別情報を該送信元識別情報用のホルダーもしくは他の送信元識別情報と同じホルダーのいずれかに対応付けて登録する手段と、
該手段で登録した対応付け情報に基づき、受信した画像情報を、該画像情報の送信元識別情報に対応付けられたホルダーに分類して蓄積する手段と、
上記ホルダーに対応付けて予め登録された上記ワンタッチダイヤル機構および短縮ダイヤル機構のボタンであるホルダー選択指示ボタンのオペレータによる押下操作に基づき、当該ホルダー選択指示ボタンに対応付けられたホルダーに分類して蓄積した画像情報の検索を行う手段と、
該手段による上記画像情報の検索を行うモードに設定する手段とを有し、
該手段による検索モードの設定前に上記ホルダー選択指示ボタンが押下された場合には、押下されたホルダー選択指示ボタンに対応して上記ワンタッチダイヤル機構および短縮ダイヤル機構によるダイヤル発信を行い、検索モードの設定後に上記ホルダー選択指示ボタンが押下された場合には、押下されたホルダー選択指示ボタンに対応付けられたホルダーに分類して蓄積した各送信元からの画像情報の検索を行うことを特徴とする蓄積機能付きファクシミリ装置。
【請求項２】
請求項１に記載の蓄積機能付きファクシミリ装置であって、
各ホルダー毎に、当該ホルダーに分類して蓄積した画像情報の件数を登録する手段と、上記ホルダー選択指示ボタンの押下に基づき、当該ホルダーに分類して蓄積した画像情報の件数を読み出して表示出力する手段とを有することを特徴とする蓄積機能付きファクシミリ装置。
【請求項３】
請求項１、もしくは、請求項２のいずれかに記載の蓄積機能付きファクシミリ装置であって、
上記ホルダーに分類して蓄積した画像情報毎に、当該画像情報の上記蓄積手段における蓄積アドレス情報と蓄積日時情報および送信元識別情報を登録する手段と、
上記ホルダー選択指示ボタンの押下に基づき、当該ホルダーに分類して蓄積した画像情報の上記蓄積アドレス情報と蓄積日時情報および送信元識別情報を読み出して表示出力する手段とを有することを特徴とする蓄積機能付きファクシミリ装置。
【請求項４】
請求項１から請求項３のいずれかに記載の蓄積機能付きファクシミリ装置であって、
オペレータからの印刷指示を入力する手段と、該手段を介して入力されたオペレータからの印刷指示に基づき、検索した画像情報を印刷出力する手段とを有することを特徴とする蓄積機能付きファクシミリ装置。
【発明の詳細な説明】
【０００１】
【産業上の利用分野】
本発明は蓄積機能付きファクシミリ装置、すなわち、送受信用画像情報の蓄積機能を有するファクシミリ装置に関するものである。
【０００２】
【従来の技術】
近年、ファクシミリ装置の急速な普及に伴い、その価格も数万円程度のものから百数十万円するものまでと、プライベート化と高級化の二極化が進んでいる。また、高級機については、ファクシミリ装置と他のＯＡ機器との複合化が進み、使い易さを重視するとともに、付加価値の強化が進んでいる。更に、半導体の低コスト化の実現により、大容量メモリを搭載した機種も多数普及している。
従来の、蓄積機能付きファクシミリ装置は、記録紙切れ時におけるメモリでの代行受信、または、通常の直接受信時においても、受信した画像情報を受信した順番に格納するように構成されている。このため、メモリに蓄積された情報を取り出す際には、
（１）受信した画像情報のファイルリストを一度紙に出力し、出力したいファイル
を識別コード等を用いて指定して紙に出力するか、
（２）受信したすべての画像情報を紙に出力する
ようになっていた。
【０００３】
【発明が解決しようとする課題】
上記従来技術においては、受信した順番に格納されている大量の画像情報から迅速に応答すべき画像情報を検索するのに時間がかかるという問題があった。また、メモリに蓄積されている大量の受信画像情報を紙に出力する場合、通信時間に比べて出力時間が大幅にかかり、更に、紙に出力した画像情報を分別する手間がかかるという問題もあった。
また、上記従来技術には、画像情報の送信時、相手側のファクシミリ装置がポーリング受信の操作をして、送信側がポーリング送信待機中の場合には、原稿を読み取り装置にセットした状態で待機することが必要であるため、他の送信相手に緊急に送信したい原稿があっても、上述のポーリング送信待機中の原稿を取り外せないという問題もあった。
上述のポーリング送信待機中の原稿を取り外してしまった場合には、ポーリング送信機能がキャンセルされ、再度、操作をやり直さなければならなくなる。
本発明は上記事情に鑑みてなされたもので、その目的は、従来の技術における上述の如き問題を解消し、メモリ内に蓄積されている受信情報を、迅速に取り出して処理することを可能とする蓄積機能付きファクシミリ装置を提供することにある。
【０００４】
【課題を解決するための手段】
上記目的を達成するため、本発明の蓄積機能付きファクシミリ装置は、送受信用画像情報の蓄積手段と、送信相手先を指定するワンタッチダイヤル機構および短縮ダイヤル機構を有する蓄積機能付きファクシミリ装置であって、受信した画像情報を、該画像情報の送信元識別情報に予め対応付けられたホルダーに分類して蓄積する手段と、各ホルダー毎に予め対応付けられた上記ワンタッチダイヤル機構および短縮ダイヤル機構のボタンを含むホルダー選択指示ボタンのオペレータによる押下に基づき、当該ホルダーに分類して蓄積した画像情報の検索を行う手段とを有することを特徴とする。
【０００５】
【作用】
本発明に係るファクシミリ装置においては、例えば、大量に受信した画像情報を自動的にホルダーに分類して蓄積し、受信した画像情報を蓄積できるホルダーの選択をワンタッチダイヤルボタンによって行うようにしたので、ホルダー単位で格納画像情報の検索を行うことことが可能になり、検索時間を大幅に短縮することが可能になり、紙に出力した情報の分別に要する処理時間を省略することが可能になる。
【０００６】
【実施例】
以下、本発明の実施例を図面に基づいて詳細に説明する。
図１は、本発明の一実施例に係るファクシミリ装置（以下、「装置」ともいう）のブロック構成図である。図中、１００は本装置全体を制御するための制御装置であり、１０１は格納した画像情報の送信元識別コード，受信した日時およびオペレータへの指示等のメッセージを表示する液晶表示装置（ＬＣＤ）、また、１０２はプログラムの格納と、自動的にホルダーに分類する際に必要となる管理テーブル情報（詳細は後述する）の格納、および、受信した画像情報を蓄積するための大容量メモリ装置である。
また、１０３は送信原稿を読み取るためのスキャナ、１０４は受信した画像情報を出力するためのプリンタ、１０５は外部から操作可能なスイッチおよびキー等で構成されている入力装置を示している。
【０００７】
なお、１０６は相手ファクシミリ装置１１５との間で、ファクシミリ制御信号の交換を行い、制御手順を実行する通信制御部、１０７は送信時、画像情報を外部回線１１０に適した形態に変調し、受信時、外部回線１１０から送られてきた変調信号を復調するモデム、１０８は音声情報の入出力を行うハンドセット、１０９は外部回線１１０とハンドセット１０８の接続と、モデム１０７の切り替えを行う網制御部を示している。
図２は、上述の大容量メモリ装置１０２上に格納されているホルダー管理テーブル３００の一例を示す図である。
ホルダー管理テーブル３００は、各ホルダーに蓄積した画像情報の件数を登録する項目３００ａ，後述（図４参照）する、各ホルダーが受信した画像情報を管理する受信情報管理テーブル５００を示すアドレス情報を登録する項目３００ｂから成っている。
【０００８】
ホルダー管理テーブル３００の最終エントリは、後述（図３参照）する、ホルダー識別コード管理テーブル４００に予め登録されていない送信元識別コードを送出した端末機から受信した画像情報を蓄積するための、後述（図４参照）する、ノンホルダー受信情報管理テーブル５００を示すアドレス情報を登録する。
従って、後述する如く、オペレータが入力装置１０５上のワンタッチダイヤルボタンを術下すると、そのワンタッチダイヤルボタンに対応するホルダーに蓄積されている画像情報を管理する、上述の受信情報管理テーブル５００の検索が可能になる。
図３は、前述の大容量メモリ装置１０２上に格納されているホルダー識別コード管理テーブル４００の一例を示す図である。
ホルダー識別コード管理テーブル４００は、送信元識別コードを登録する項目４００ａ，上記送信元識別コードがどのワンタッチダイヤルボタンに属するかを示す、上記ホルダー管理テーブル３００のポインター情報を登録する項目４００ｂから成っている。
【０００９】
従って、後述する如く、制御プログラムは、最初に、相手ファクシミリ装置との間の制御手順のフェーズＢ中に受信した送信元識別コードがどのホルダーに属するかを、上記ホルダー識別コード管理テーブル４００を用いてチェックし、受信した画像情報をどのホルダーに蓄積するかを判断することが可能になる。
図４は、前述の大容量メモリ装置１０２上に格納されている受信情報管理テーブル５００の一例を示す図である。
受信情報管理テーブル５００は、送信元識別コードを登録する項目５００ａ，上記送信元識別コードの受信日時を登録する項目５００ｂ，受信画像情報が大容量メモリ装置１０２内のどこに格納されているかを示すアドレス情報を登録する項目５００ｃから成っている。
従って、後述する如く、オペレータが、入力装置１０５上のワンタッチダイヤルボタンを押下すると、そのワンタッチダイヤルボタンに対応するホルダーに蓄積されている受信画像情報の検索を容易にし、蓄積した画像情報の内容を紙に出力することが可能になる。
【００１０】
図５は、前述の大容量メモリ装置１０２上に格納されている上記各テーブル情報と実際の受信画像情報の蓄積の関連を説明するための関連図である。
図中、６００がこの関連図であり、４００は受信した画像情報がどのホルダーに属するかを示す、前述のホルダー識別コード管理テーブルである。
相手ファクシミリ装置からＥＯＰ信号を受信したとき、相手ファクシミリ装置から送出された送信元識別コードを、上記ホルダー識別コード管理テーブル４００内の項目４００ａの送信元識別コードと比較して、一致した送信元識別コードが存在した場合、項目４００ｂで示すホルダー管理テーブル３００のポインター情報から、受信した画像情報を蓄積するホルダーのエントリが得られ、ホルダー管理テーブル３００の項目３００ｂで示すポインタから受信した画像情報の管理情報を登録する受信情報管理テーブル５００のエントリが得られる。
また、受信画像情報管理テーブル５００の項目５００ａに上記送信元識別コードを登録し、項目５００ｂに受信日時を登録し、項目５００ｃにこの受信画像情報が大容量メモリ装置１０２内のどこに蓄積されているかを示すアドレス情報を登録し、受信情報管理テーブル５００を更新する。
【００１１】
なお、図５中の項目６０００，６００１，６０００２および６００４は、蓄積した画像情報を示している。
図６は、前述の大容量メモリ装置１０２上に格納されているポーリング送信管理テーブル８００の一例を示す図である。
本ポーリング送信管理テーブル８００は、受信元ＩＤコードを登録する項目８００ａ，ポーリング送信を行う画像情報が前述の大容量メモリ装置１０２内のどこに格納されているかを示すアドレス情報を登録する項目８００ｂから成っている。但し、フリーポーリングの場合は、項目８００ａには０が登録される。
以下、上述の如く構成された本実施例の動作を、図７〜図  に示す動作フロー図に基づいて説明する。
まず、受信した画像情報をホルダーに自動的に分類して格納する動作について説明する。
発呼局の端末機から被呼局の端末機にダイヤリングを実行し、被呼局の端末機を呼び出す（ステップＴ２００）。
【００１２】
回線の接続後、被呼局の端末機から送出された（ＮＳＦ），（ＣＳＩ），ＤＩＳ信号を受信した発呼局の端末機は、被呼局の端末機との互換性，性能等のチェックを行った後、ステップＴ２０１で、送信元識別コード（ＴＳＩ）信号を被呼局の端末機に送出する。被呼局の端末機は、発呼局の端末機から送出された送信元識別コード（ＴＳＩ）信号を受信後、送信元識別コードＴＳＩを保存する（ステップＲ２００）。
発呼局の端末機は、トレーニング信号を被呼局の端末機に送出（ステップＴ２０２）した後、被呼局の端末機からのＣＦＲ信号の受信を待ち、被呼局の端末機からのＣＦＲ信号を受信すると、実際の画像情報の被呼局の端末機への送出を開始する（ステップＴ２０３）。被呼局の端末機は、発呼局の端末機から送出された画像情報の受信を、ＭＰＳ信号またはＥＯＰ信号を受信するまで続ける（ステップＲ２０１）。
被呼局の端末機は、発呼局の端末機から送出されたＭＰＳ信号（ステップＴ２０４）を受信し、伝送中にエラーが発生しない場合、発呼局の端末機にＭＣＦ信号を送出し（ステップＲ２０４）、発呼局の端末機からの次の画像情報の送出を待つ。
【００１３】
発呼局の端末機は、ＥＯＰ信号を送出し（ステップＴ２０７）、発呼局の端末機から送出されたＥＯＰ信号を受信した被呼局の端末機は、受信した画像情報をどのホルダーに格納するかを判断するため、ステップＲ２００で保存した送信元識別コードと前述のホルダー識別コード管理テーブル４００の項目４００ａの内容とを比較し（ステップＲ２０５）、一致した識別コードが存在した場合、一致したホルダー識別コード管理テーブル４００のエントリ項目４００ｂのホルダー管理テーブル３００のポインター情報から、ホルダー管理テーブルエントリを得て、このホルダー管理テーブル３００のエントリ項目３００ｂに登録されている受信情報管理テーブル５００のアドレス情報から、受信した画像情報の蓄積と管理情報の登録を行う受信情報管理テーブル５００のエントリを得る（ステップＲ２０８）。
次に、受信情報管理テーブル５００のエントリ項目５００ａに送信元識別コードを、項目５００ｂに受信日時を登録し、項目５００ｃに受信した画像情報が大容量メモリ装置１０２のどこに格納されているかを示すアドレス情報を登録し、受信情報管理テーブル５００を更新する（ステップＲ２１０）。
【００１４】
被呼局の端末機は、受信情報管理テーブル５００の更新が終了すると、発呼局の端末機にＭＣＦ信号を送出する（ステップＲ２１１）。次に、ホルダー管理テーブル３００の項目３００ａの受信件数カウンタを１加算し、発呼局の端末機からのＤＣＮ信号の受信を待ち（ステップＲ２１２）、発呼局の端末機からＤＣＮ信号を受信すると、回線を切断して処理を終了する（ステップＲ２１３）。
また、受信した送信元識別コードがホルダー識別コード管理テーブル４００に存在しない、ホルダー管理テーブル３００の最後のエントリの項目３００ｃに登録されているノンホルダー受信情報管理テーブル５００のアドレス情報から、格納すべきノンホルダー受信情報管理テーブル５００を得て、ノンホルダー受信情報管理テーブル５００の項目５００ａに送信元識別コードを、項目５００ｂに受信日時を、また、項目５００ｃに受信画像情報が大容量メモリ装置１０２内のどこに格納されているかを示すアドレス情報を登録し、ノンホルダー受信情報管理テーブル５００を更新する（ステップＲ２０７，Ｒ２０９）。
【００１５】
次に、上述の実施例において用いたワンタッチダイヤルボタンをホルダーの選択手段として、ホルダーに蓄積されている画像情報の検索と出力を可能にする構成について説明する。
まず、図９に基づいて、入力装置１０５上のワンタッチダイヤルボタンを含む操作パネルを説明する。図中、７００が操作パネルであり、７０１は前述の大容量メモリ１０２に格納されている画像情報を検索し、液晶表示装置（ＬＣＤ）１０１上に表示する検索スイッチを、７０２は液晶表示装置１０１上に表示されている画像情報を出力するための印刷スイッチを示している。また、７０３はホルダーに対応するワンタッチダイヤルボタンを示している。
上述の如く構成された本実施例の操作パネルの操作は、検索スイッチ７０１を押下した後、ホルダーに対応したワンタッチダイヤルボタンを押下することで、ホルダーに蓄積されている画像情報の検索を行い、検索された画像情報は液晶表示装置１０１に表示後、印刷ボタン７０２を押下することにより、蓄積情報を印刷出力するものである。
【００１６】
もちろん、ワンタッチダイヤルボタンは、ワンタッチダイヤルボタンを始めに押下することにより、従来通り、ダイヤル発信が可能であることは言うまでもない。オペレータが、入力装置１０５の操作パネル上の検索スイッチ７０１を押下すると、図１０に示す動作フローに従って検索タスクが起動し、ホルダーの選択を指示するワンタッチダイヤルボタン７０３が押下されるまで、検索タスクは待機状態になる。
オペレータがホルダーの選択を指示するためのワンタッチダイヤルボタンの押下を行ったか否かを監視し（ステップＳ２００）、ワンタッチダイヤルボタンが押下されたことを検知すると、押下されたワンタッチダイヤルボタン番号に対応するホルダーのホルダー管理テーブル３００のエントリから、ホルダー管理テーブル３００に登録されている受信件数，蓄積されている画像情報の管理情報が格納されている受信情報管理テーブル５００のアドレスを得る（ステップＳ２０１，Ｓ２０２）。ステップＳ２０２で得た受信件数に基づいて、液晶表示装置１０１上に、ホルダー番号と受信件数を表示する（ステップＳ２０３）。
【００１７】
次に、ステップＳ２０４で、受信情報管理テーブル５００のエントリを基に、蓄積されている画像情報の管理情報が登録されている受信情報管理テーブル５００の登録情報を編集して、送信元識別コード，受信した日時を、液晶表示装置１０１上に表示する。
そして、表示中の蓄積情報を出力するか否かをチェックし（ステップＳ２０５）、蓄積情報を出力しない場合は、次の蓄積情報の検索のため、ホルダー中に蓄積されている画像情報をすべて表示したか否かのチェックを続行する（ステップＳ２０５）。蓄積情報が存在する場合は、受信件数カウンタを１減算し（ステップＳ２０８）、ステップＳ２０４に制御を移して処理を続行する。
なお、ホルダーに蓄積されている画像情報をすべて表示した場合は、検索タスクを終了する。
蓄積情報を紙に出力する場合は、紙に画像情報を出力して（ステップＳ２０６）、次の蓄積情報の検索のため、制御をステップＳ２０７に移して処理を続行する。
【００１８】
上記実施例によれば、大量に受信した画像情報を自動的にホルダーに分類して蓄積し、上述のホルダーの選択をワンタッチダイヤルボタンで行うようにしたので、ホルダー単位で格納画像情報の検索を行うことが可能になり、検索時間を大幅に短縮することが可能になり、紙に出力した情報の分別に要する処理時間を省略することが可能になるという効果が得られる。
次に、前述の大容量メモリ装置１０２に蓄積されている画像情報をポーリング送信用原稿として、蓄積ポーリング送信を行う動作を、図１１，図１２に基づいて説明する。
まず、ポーリング送信予約の処理について、図１１に基づいて説明する。
入力装置１０５上に外部から操作可能なスイッチ等で構成されている操作パネル（図９参照）のポーリング送信スイッチ７０４を押下することにより、送信予約タスクが起動され、ポーリング送信予約機能の設定が行われる（ステップＰ２００）。次に、ポーリング送信が従来の（通常の）ポーリング送信か否かをオペレータに問い合わせ（ステップＰ２０１）、従来のポーリング送信の場合は、従来のポーリング送信の処理手順を実行する（ステップＰ２０２）。
【００１９】
また、ステップＰ２０１でのチェックの結果、蓄積ポーリング送信の場合は、ポーリング送信がフリーポーリング送信か、ＩＤコードポーリング送信かをオペレータに問い合わせる（ステップＰ２０３）。もし、ＩＤコードポーリング送信の場合は、オペレータは、相手側（受信元）ＩＤコードを操作パネル上のキーにより入力し、ポーリング送信管理テーブル８００の項目８００ａに入力したＩＤコードを登録する（ステップＰ２０４）。
また、フリーポーリング送信の場合は、制御をステップＰ２０５に移し、処理を実行する。原稿の読み取り条件を設定し、スキャナ１０３上にセットされている原稿を大容量メモリ装置１０２上に読み込む。原稿の読み込みが終了したら、読み込んだ原稿が大容量メモリ装置１０２に格納されているアドレス情報を登録して（ステップＰ２０５）、処理を終了し、相手側からのポーリング送信を待機する。
最後に、上述の処理で登録された蓄積ポーリング送信の動作について、図１２に基づいて説明する。
【００２０】
発呼局の端末機からポーリング送信の機能を受信した（ステップＰ４００）被呼局の端末機は、当該発呼局の端末機がポーリング送信予約待機中か否かをチェックし（ステップＰ４０１）、発呼局の端末機がポーリング送信予約待機中の場合、ポーリング送信予約が従来のポーリング送信か否かをチェックし（ステップＰ４０３）、ポーリング送信予約が従来のポーリング送信である場合は、スキャナ１０３上の原稿を読み取り、従来のポーリング送信処理手順を実行する（ステップＰ４０４）。
また、ポーリング送信予約が蓄積ポーリング送信の場合は、更に、ポーリング送信がフリーポーリング送信か否かをチェックし（ステップＰ４０５）、フリーポーリング送信の場合は、制御をステップＰ４０８に移して処理を続ける。一方、ポーリング送信がＩＤコードポーリング送信の場合は、ポーリング送信予約設定でポーリング送信管理テーブル８００の項目８００ａに登録されたＩＤコードと発呼局の端末機からのＩＤコードが一致するか否かをチェックし（ステップＰ４０６，Ｐ４０７）、ＩＤコードが不一致の場合、不一致で画像情報は送信されない。
【００２１】
また、ＩＤコードが一致した場合には、ポーリング送信管理テーブル８００の項目８００ｂに格納されているアドレスを基に、大容量メモリ装置１０２上の画像情報が終了するまで、発呼局の端末機に送出を続ける（ステップＰ４０８，Ｐ４１０）。画像情報の送出が終了したら、処理を終了する。
上記実施例によれば、送信用原稿を蓄積しておき、これをポーリング送信するようにしたので、他の送信相手に緊急に送信したい原稿がある場合等にも、ポーリング送信待機中の原稿を意識することなく、送信操作を行うことができるという効果が得られる。
なお、上述の実施例においては、ワンタッチダイヤルボタンをホルダー選択の指示手段とした場合を説明したが、本発明はこれに限定されるものではなく、例えば、短縮ダイヤルボタンとの組み合わせで使用することにより、ホルダー数を増やすことも可能である。
【００２２】
【発明の効果】
以上、詳細に説明した如く、本発明によれば、メモリ内に蓄積されている受信情報を、迅速に取り出して処理することを可能とする蓄積機能付きファクシミリ装置を実現できるという顕著な効果を奏するものである。
【００２３】
【図面の簡単な説明】
【図１】本発明の一実施例に係るファクシミリ装置のブロック構成図である。
【図２】実施例に係るホルダー管理テーブルの一例を示す図である。
【図３】実施例に係るホルダー識別コード管理テーブルの一例を示す図である。
【図４】実施例に係る受信情報管理テーブルの一例を示す図である。
【図５】実施例に係る各テーブル情報と実際の受信画像情報の蓄積の関連を説明するための関連図である。
【図６】実施例に係るポーリング送信管理テーブルの一例を示す図である。
【図７】実施例の動作フロー図の一部である。
【図８】実施例の動作フロー図の他の一部である。
【図９】実施例に係る入力装置上のワンタッチダイヤルボタンを含む操作パネルを示す図である。
【図１０】実施例の動作フロー図である。
【図１１】実施例の動作フロー図である。
【図１２】実施例の動作フロー図である。
【符号の説明】
１００：制御装置、１０１：液晶表示装置（ＬＣＤ）、１０２：大容量メモリ装置、１０３：スキャナ、１０４：プリンタ、１０５：入力装置、１０６：通信制御部、１０７：モデム、１０８：ハンドセット、１０９：網制御部、１１０：外部回線、１１５：相手ファクシミリ装置、３００：ホルダー管理テーブル、４００：ホルダー識別コード管理テーブル、５００：受信情報管理テーブル。
【図１】
0003613616.tif 000002
【図２】
0003613616.tif 000003
【図３】
0003613616.tif 000004
【図４】
0003613616.tif 000005
【図５】
0003613616.tif 000006
【図６】
0003613616.tif 000007
【図７】
0003613616.tif 000008
【図８】
0003613616.tif 000009
【図９】
0003613616.tif 000010
【図１０】
0003613616.tif 000011
【図１１】
0003613616.tif 000012
【図１２】
0003613616.tif 000013